(57)【要約】【課題】上部の強度をより高めたデッキ用フェンス構造を提供する。【解決手段】本発明のデッキ用フェンス構造１は、デッキ構造１０に適用されるものであって、上下方向に延びるように設けられ、下端部が前記デッキ構造１０のデッキフロア１３に固定された複数本の支柱２と、前記複数本の支柱２同士を架け渡すように前記支柱２の上端部に取り付けられた架設フレーム材３と、前記架設フレーム材３の下面に沿って取り付けられ、隣接する前記支柱２の側面に左右端部がそれぞれ固定された上側フレーム横材４とを備える。【選択図】図２
2018119267.tif 000002
【特許請求の範囲】
【請求項１】
デッキ構造に適用されるデッキ用フェンス構造であって、
上下方向に延びるように設けられ、下端部が前記デッキ構造のデッキフロアに固定された複数本の支柱と、
前記複数本の支柱同士を架け渡すように前記支柱の上端部に取り付けられた架設フレーム材と、
前記架設フレーム材の下面に沿って延びるとともに当該下面に固定され、かつ隣接する前記支柱の側面に左右端部がそれぞれ固定された上側フレーム横材とを備えるデッキ用フェンス構造。
【請求項２】
前記支柱は、中空パイプ状の支柱本体と、当該支柱本体の上端開口を覆うように取り付けられるカバー部材とを有し、
前記支柱と前記架設フレーム材とは、前記カバー部材と当該カバー部材上に載置された前記架設フレーム材とを上下方向に貫通する第１締結部材により互いに結合されている請求項１に記載のデッキ用フェンス構造。
【請求項３】
前記支柱は、金属製の前記支柱本体よりも一回り大きい中空パイプ状に形成されて当該支柱本体の外周を取り囲む支柱カバー部材をさらに有し、
前記支柱カバー部材、前記架設フレーム材および前記上側フレーム横材は、木材を模した材料で構成されている請求項２に記載のデッキ用フェンス構造。
【請求項４】
前記架設フレーム材と前記上側フレーム横材とは、前記上側フレーム横材を上下方向に貫通する第２締結部材により互いに結合されている請求項１〜３のいずれか一項に記載のデッキ用フェンス構造。
【請求項５】
前記支柱の側面に前記上側フレーム横材を固定するための第１固定具をさらに備え、
前記第１固定具は、前記支柱の側面に固定される支柱固定部と、当該支柱固定部の下端から横方向に延び、前記上側フレーム横材の下面が固定される横材固定部とを有している請求項１〜４のいずれか一項に記載のデッキ用フェンス構造。
【発明の詳細な説明】
【技術分野】
【０００１】
本発明は、デッキフロアの上面に取り付けられるデッキ用フェンス構造に関する。
【背景技術】
【０００２】
室内から庭へと繋がるテラスやバルコニー等のデッキ構造は、庭のある家屋に設置されていることも多い。このデッキ構造は、地面上に前後左右に配置された複数の支柱と、前記支柱上に載置された複数本のフレーム材と、当該フレーム材上にフレーム材に対して交差する方向に併設された複数枚のデッキフロアとによって構成されている。このデッキ構造の上縁にはフェンス構造が取り付けられることもある。デッキフロアにフェンス構造が取り付けられることで、庭側から室内が丸見えになってしまうことを避けることができるし、また子供がデッキフロアから庭に落下してしまうことも防止できる。
【０００３】
図１５は、特許文献１に開示のフェンス構造の斜視図である。フェンス構造の一例として、例えば下記特許文献１に開示のフェンス構造は、図１５に示されるように、上下方向に延び、デッキフロアの上面に取り付けられる複数本の支柱１０２と、隣接する支柱１０２同士を繋ぐように支柱１０２に取り付けられるフェンス１０１とを有している。このフェンス１０１は、隣接する支柱１０２の上端近傍同士を繋ぐように左右に延びる上側フレーム１０３と、隣接する支柱１０２の上下方向の中央よりもやや下側同士を繋ぐように左右に延びる下側フレーム１０４と、上側フレーム１０３および下側フレーム１０４の左側端部近傍および右側端部近傍を繋ぐように上下に延びる左側フレーム１０５および右側フレーム１０６と、これらの上下左右のフレームに取り付けられ、上下左右に延びる板材を井桁状に組み合わせて構成された板状格子１０７とを有している。
【先行技術文献】
【特許文献】
【０００４】
【特許文献１】特開２０１５−０５２２６０号公報
【発明の概要】
【発明が解決しようとする課題】
【０００５】
特許文献１に開示のフェンス構造は、隣接する支柱１０２間の距離が比較的短くなっている。このように支柱１０２間の距離が短くなっている理由は、おそらく上側フレーム１０３の中央に人がもたれかかると、上側フレーム１０３に過大な応力が発生し、最悪の場合にはフェンス構造が破損に至ってしまうことによるものと推測される。言い換えると、特許文献１に開示のフェンス構造は、その上部の強度を確保しにくく、そのため支柱間距離を短くせざるを得ないという問題がある。
【０００６】
本発明は、上記のような事情に鑑みてなされたものであり、上部の強度をより高めたデッキ用フェンス構造を提供することを目的とする。
【課題を解決するための手段】
【０００７】
上記課題を解決するためのものとして、本発明のデッキ用フェンス構造は、デッキ構造に適用されるものであって、上下方向に延びるように設けられ、下端部が前記デッキ構造のデッキフロアに固定された複数本の支柱と、前記複数本の支柱同士を架け渡すように前記支柱の上端部に取り付けられた架設フレーム材と、前記架設フレーム材の下面に沿って延びるとともに当該下面に固定され、隣接する前記支柱の側面に左右端部がそれぞれ固定された上側フレーム横材とを備えている（請求項１）。
【０００８】
本発明によれば、支柱の上端部に取り付けられた架設フレーム材の下面に沿って上側フレーム横材が固定されているので、架設フレーム材の上面から下向きに外力が加わったとしても、その外力を架設フレーム材と上側フレーム横材との２本で受けることができる。また、上側フレーム横材の左右端部がそれぞれ支柱の側面に固定されているので、仮に架設フレーム材の側面に対し架設フレーム材の前後方向（架設フレーム材の長手方向に垂直な水平方向）に外力が加わったとしても、その前後方向の外力を、架設フレーム材の下部に固定された上側フレーム横材を通じて支柱に逃がすことができる。これらの効果が相俟って、架設フレーム材に対して上側から外力が加わっても、架設フレーム材に対して前後方向に外力が加わっても、その外力で架設フレーム材が変形することを防止することができ、フェンス構造の上部の強度を高めることができる。このため、支柱間距離が長くなるように各支柱を配置したとしても、フェンス構造における上部の強度を確保することができる。
【０００９】
上記構成において、好ましくは、前記支柱は、中空パイプ状の支柱本体と、当該支柱本体の上端開口を覆うように取り付けられるカバー部材とを有し、前記支柱と前記架設フレーム材とは、前記カバー部材と当該カバー部材上に載置された前記架設フレーム材とを上下方向に貫通する第１締結部材により互いに結合されている（請求項２）。
【００１０】
上記構成によれば、中空パイプ状の支柱本体の上端にカバー部材が取り付けられているので、支柱の上端に位置するカバー部材と架設フレーム材の下面とを面接触させることができる。この面接触した部分、すなわち架設フレーム材とカバー部材との接触面を上下方向に貫通する第１締結部材で互いに結合することにより、支柱と架設フレーム材とを締結することができる。このように締結することで、架設フレーム材に対してその前後方向に外力が加わっても、その外力を支柱に逃がすことができ、架設フレーム材が変形することを防止することができる。
【００１１】
上記構成において、好ましくは、前記支柱は、金属製の前記支柱本体よりも一回り大きい中空パイプ状に形成されて当該支柱本体の外周を取り囲む支柱カバー部材をさらに有し、前記支柱カバー部材、前記架設フレーム材、および前記上側フレーム横材は、木材を模した材料で構成されている（請求項３）。
【００１２】
上記構成によれば、支柱本体が金属製のもので構成されているので、支柱の強度を高めることができる。また、支柱カバー部材、架設フレーム材、および上側フレーム横材のいずれもが木材を模した材料で構成されているので、フェンス構造全体が木質材料で構成されているかのような一体感を出すことができ、デッキ用フェンス構造の意匠性を向上させることができる。
【００１３】
上記構成において、好ましくは、前記架設フレーム材と前記上側フレーム横材とは、前記上側フレーム横材を上下方向に貫通する第２締結部材により互いに結合されている（請求項４）。
【００１４】
上記構成によれば、架設フレーム材と上側フレーム横材とが第２締結部材によって上下方向に締結されているので、架設フレーム材と上側フレーム横材との接合強度を高めることができ、フェンス構造の上部の強度をより高めることができる。しかも、上側フレーム横材を上下方向に貫通するように第２締結部材が取り付けられていることで、第２締結部材が外部から視認されにくくすることができ、フェンス構造の意匠性を向上させることができる。
【００１５】
上記構成において、好ましくは、前記支柱の側面に前記上側フレーム横材を固定するための第１固定具をさらに備え、前記第１固定具は、前記支柱の側面に固定される支柱固定部と、当該支柱固定部の下端から横方向に延び、前記上側フレーム横材の下面が固定される横材固定部とを有している（請求項５）。
【００１６】
上記構成によれば、支柱の側面に対して支柱固定部を当接させた状態で、支柱固定部を支柱の側面に固定することができる。このように支柱固定部を支柱の側面に固定した状態では、支柱の側面から横材固定部が立設しているので、この横材固定部の上面に上側フレーム横材を上側から載置することで、支柱に対する上側フレーム横材の相対位置を位置合わせする必要なく、支柱の側面に対して上側フレーム横材の取付位置を容易に決めることができる。
【００１７】
しかも、上側フレーム横材の下面を受けるように第１固定具が固定されているので、上側フレーム横材に対して下向きに外力が加わった時に、その外力を第１固定具から支柱に逃がすことができる。また支柱の側面と上側フレーム横材の下面との両方に沿うように第１固定具が取り付けられているので、支柱と上側フレーム横材との取付強度を高めることができる。これによりフェンス構造の上部の強度をさらに高めることが可能となる。
【発明の効果】
【００１８】
本発明によれば、デッキ用フェンス構造の上部の強度をより高めることができる。
【図面の簡単な説明】
【００１９】
【図１】本発明の実施形態にかかるフェンス構造を備えたデッキ構造を示す斜視図である。
【図２】図１のデッキ構造を示す側面断面図である。
【図３】第１固定金具の斜視図である。
【図４】固定具の斜視図である。
【図５】第２固定金具の斜視図である。
【図６】支柱を単独で示す斜視図である。
【図７】支柱を前後方向に切断した断面図である。
【図８】支柱を左右方向に切断した断面図である。
【図９】支柱の上面図である。
【図１０】支柱の分解斜視図である。
【図１１】図１０の状態から一部の部品を組み付けた状態を示す斜視図である。
【図１２】本発明の実施形態にかかるフェンス構造の組立手順を説明する斜視図である。
【図１３】本発明の実施形態にかかるフェンス構造の組立手順を説明する斜視図である。
【図１４】第１固定金具の取付の変形例を示す図である。
【図１５】特許文献１に開示のフェンス構造の斜視図である。
【発明を実施するための形態】
【００２０】
以下添付図面を参照しながら、本発明の実施形態について説明する。なお、以下の実施形態は、本発明を具体化した例であって、本発明の技術的範囲を限定する性格のものではない。
【００２１】
（１）デッキ構造の全体構成
図１および図２は、本発明の実施形態にかかるデッキ構造を示す斜視図および側面断面図である。本図に示されるデッキ構造は、建物の一階部分の側壁Ｗから屋外側（庭）に突出するように設けられ、いわゆるガーデンテラスとして利用されるものである。なお、以下の説明において「前」「後」「左」「右」とは、側壁Ｗと直交しかつ屋外を向く方向を「前」、その反対側（屋内側）を「後」とした場合のものである。
【００２２】
本図に示されるデッキ構造１０は、長尺状の複数のパネル材によって構成されたデッキフロア１３と、デッキフロア１３の上面の前縁側に設けられたフェンス構造１と、デッキフロア１３を下側から支える複数本のデッキ支柱１１と、デッキ支柱１１の下端に設けられたコンクリート製ブロックの土台部１２とを備えている。当実施形態では、前後２×左右４の合計８箇所に分布するように土台部１２およびデッキ支柱１１が配置されている。
【００２３】
フェンス構造１は、下端部がデッキフロア１３に固定された複数本（図１では２本）の支柱２と、複数本の支柱２同士を架け渡すように支柱２の上端部に取り付けられた架設フレーム材３と、架設フレーム材３の下面に沿って当該下面に固定された上側フレーム横材４と、上側フレーム横材４の下側に位置する下側フレーム横材５と、上端部が上側フレーム横材４に固定されかつ下端部が下側フレーム横材５に固定される複数本（図１では１１本）のフレーム縦材６とを有している。このフェンス構造１を構成する各部、すなわち支柱２、架設フレーム材３、上側フレーム横材４、下側フレーム横材５およびフレーム縦材６の少なくとも外周部は木材を模した材料で構成されている。このため、フェンス構造全体が木質材料で構成されているかのような一体感を出すことができ、デッキ用フェンス構造の意匠性を向上させることができる。ここでの木材を模した材料としては、ポリ塩化ビニル（ＰＶＣ）樹脂、ＡＢＳ共重合樹脂、ＡＳＡ共重合体樹脂、ポリエチレン樹脂、ポリプロピレン樹脂、ポリスチレン樹脂、ＥＶＡ樹脂等の熱可塑性樹脂に対して木粉を配合した木質成形品が挙げられる。この木質成形品は、押出成型によってそれぞれ各部の形状に加工されている。
【００２４】
架設フレーム材３は、木材を模した材料で構成された左右方向に延びる断面矩形状の中実角材である。この架設フレーム材３の左右方向の長さは、隣接する支柱２間の長さよりも長くされており、かつ架設フレーム材３の幅長さ（前後方向の長さ）は支柱２の上端面における一辺の長さよりも長くされている。架設フレーム材３は、ビス３０を介して複数の支柱２の上面に固定されている。すなわち、架設フレーム材３とその下面の支柱２の上面（後述のカバー部材２３、図６〜図１０参照）とを貫通するように架設フレーム材３の上面からビス３０が締結されるとともに、そのビス３０の先端が支柱２の内側まで達することにより、架設フレーム材３とカバー部材２３とが互いに圧着され、これによって架設フレーム材３が支柱２の上面に固定されている。なお、ビス３０は請求項にいう「第１締結部材」に相当する。
【００２５】
上側フレーム横材４は、架設フレーム材３と同様、木材を模した材料で構成された左右方向に延びる断面矩形状の中実角材であるが、架設フレーム材３よりも左右方向の長さが若干短くされている。また、上側フレーム横材４の横幅（前後方向の長さ）は支柱２の上端面の一辺と略同一とされている。この上側フレーム横材４は、上下方向に貫通するビス４０により架設フレーム材３の下面に固定されている。すなわち、上側フレーム横材４を貫通するように上側フレーム横材４の下面からビス４０が締結されるとともにそのビス４０の先端が架設フレーム材３の内側まで達することにより、上側フレーム横材４が架設フレーム材３の下面に固定されている。なお、ビス４０は請求項にいう「第２締結部材」に相当する。
【００２６】
上側フレーム横材４の左右の端部にはそれぞれ１つずつの第１固定金具３１が取り付けられており、この第１固定金具３１を介して上側フレーム横材４の左端部および右端部がそれぞれ隣接する支柱２の側面に固定されている。図３は第１固定金具の斜視図である。
【００２７】
第１固定金具３１は、金属板を折り曲げて形成した側面視Ｌ字状の部材であり、支柱２の側面に沿う矩形板状の支柱固定部３１ａと、支柱固定部３１ａの下端から横方向に延び、上側フレーム横材４の下面に沿う矩形板状の横材固定部３１ｂとを一体に有している。支柱固定部３１ａには１つの挿通孔３１ｃが形成されており、当該挿通孔３１ｃを通じて支柱２の側面に螺着されるドリルビスにより支柱固定部３１ａが支柱２の側面に固定されている。同様に、横材固定部３１ｂにも１つの挿通孔３１ｄが形成されており、当該挿通孔３１ｄを通じて上側フレーム横材４の下面に螺着されるドリルビスにより横材固定部３１ｂが上側フレーム横材４の下面に固定されている。なお、第１固定金具３１は、請求項にいう「第１固定具」に相当する。
【００２８】
下側フレーム横材５は、上側フレーム横材４と同形状および同一の材質で構成されている。下側フレーム横材５の左右の端部にはそれぞれ１つずつの固定具３２が取り付けられており、この固定具３２を介して下側フレーム横材５が支柱２の側面に固定されている。図４は固定具の斜視図である。
【００２９】
固定具３２は、上述の第１固定金具３１よりも幅広の金属板を折り曲げて形成した側面視Ｌ字状の部材であり、支柱２の側面に沿う矩形板状の下側支柱固定部３２ａと、下側支柱固定部３２ａの上端から横方向に延び、下側フレーム横材５の下面に沿う矩形板状の下側横材固定部３２ｂとを一体に有している。
【００３０】
下側支柱固定部３２ａには２つの挿通孔３２ｃが形成されており、当該挿通孔３２ｃを通じて支柱２の側面に螺着される２本のドリルビスにより下側支柱固定部３２ａが支柱２の側面に固定されている。下側横材固定部３２ｂには左右方向に穴が延びている２つの挿通長孔３２ｄが形成されており、当該挿通長孔３２ｄを通じて下側フレーム横材５の下面に螺着される２本のドリルビスにより下側横材固定部３２ｂが下側フレーム横材５の下面に固定されている。挿通長孔３２ｄは左右方向に延びているので、挿通長孔３２ｄにドリルビスを取り付けた状態で固定具３２を左右にスライド移動させることができる。これにより下側フレーム横材５に対する固定具３２の左右方向の位置合わせができるようになっている。
【００３１】
フレーム縦材６は、木材を模した材料で構成された上下方向に延びる断面矩形状のパイプ材（角パイプ）により構成されている。フレーム縦材６は、その上端の開口部内に上側フレーム横材４の下面に取り付けられた側面視Ｌ字状の第２固定金具３３を収容した状態で、第２固定金具３３によってフレーム縦材６の上端が上側フレーム横材４の下面に固定されている。フレーム縦材６の下端も同様に第２固定金具３３が取り付けられている。すなわち、フレーム縦材６の下端の開口部内に下側フレーム横材５の上面に取り付けられた第２固定金具３３を収容した状態で、第２固定金具３３によってフレーム縦材６の下端が下側フレーム横材５の上面に固定されている。なお、第２固定金具３３は、請求項にいう「第２固定具」に相当する。
【００３２】
図５は、第２固定金具の斜視図である。第２固定金具３３は、フレーム縦材６の幅長さよりも幅狭の金属板を折り曲げて形成した側面視Ｌ字状の部材であり、フレーム縦材６の内側面に固定される矩形板状の縦材固定部３３ａと、縦材固定部３３ａの上端から横方向に延び、上側フレーム横材４の下面に沿う矩形板状の上側横材固定部３３ｂとを一体に有している。縦材固定部３３ａには１つの挿通孔３３ｃが形成されており、当該挿通孔３３ｃを通じてフレーム縦材６の内側面に螺着されるドリルビスにより縦材固定部３３ａがフレーム縦材６の内側面に固定されている。上側横材固定部３３ｂには２つの挿通孔３３ｄが形成されており、当該挿通孔３３ｄを通じて上側フレーム横材４の下面に螺着されるドリルビスにより上側横材固定部３３ｂが上側フレーム横材４の下面に固定されている。なお、下側フレーム横材５とフレーム縦材６との固定も、上側フレーム横材４とフレーム縦材との固定と同様に第２固定金具３３を用いて行われている。
【００３３】
支柱２は、図６〜図１１に示す構成とされている。図６は支柱を単独で示す斜視図であり、図７は支柱を前後方向に切断した断面図であり、図８は支柱を左右方向に切断した断面図であり、図９は支柱の上面図であり、図１０は支柱の分解斜視図であり、図１１は図１０の状態から一部の部品を組み付けた状態を示す斜視図である。これらの図（特に図１０）に示すように、支柱２は、デッキフロア１３の上面に固定される固定金具２１と、固定金具２１に下端部が固定される中空パイプ状の支柱本体２２と、支柱本体２２の上端開口を覆うように取り付けられるカバー部材２３と、前記支柱本体２２よりも一回り大きい中空パイプ状に形成された当該支柱本体２２の外周を取り囲む支柱カバー部材２４とによって主に構成されている。
【００３４】
固定金具２１は、金属板を折り曲げて形成した側面視コ字状の部材であり、デッキフロア１３の上面に沿う矩形板状のベース壁部２１ａと、ベース壁部２１ａの前辺部および後辺部から上方に立ち上がる前後一対の縦壁部２１ｂとを一体に有している。ベース壁部２１ａには一対の挿通孔が形成されており、当該挿通孔を通じてデッキフロア１３に螺着される複数のドリルビス２５によりベース壁部２１ａがデッキフロア１３に固定されている。
【００３５】
支柱本体２２は、上下方向に延びる断面ほぼ正方形の矩形状の金属製パイプ材（角パイプ）により構成されている。支柱本体２２は、その下端の開口部内に固定金具２１を収容した状態でデッキフロア１３の上面に配置され、この状態で固定金具２１に固定されている。すなわち、支柱本体２２は、その下端部が固定金具２１の外側面にそれぞれビス２６で締結されることにより、固定金具２１に固定されている。支柱本体２２の内面間距離（内側面どうしの離間距離）は、一対の縦壁部２１ｂの外面間距離（外側面どうしの離間距離）とほぼ同一に設定されている。このため、上記のように支柱本体２２の下端部が固定金具２１に外挿された状態において、支柱本体２２の側面は縦壁部２１ｂの外側面と当接または近接する位置に配置される。支柱本体２２の側面には、それぞれビス２６を挿通するための挿通孔Ｓが形成されている（図１０参照）。そして、各挿通孔Ｓを通じてビス２６が外側から縦壁部２１ｂに螺着されることにより、支柱本体２２の側面が縦壁部２１ｂの外側面に固定されている。
【００３６】
また、支柱本体２２の内面間距離は、固定金具２１の各縦壁部２１ｂの幅寸法とほぼ同一に設定されている。このため、上記のように支柱本体２２の下端部が固定金具２１に外挿された状態において、支柱本体２２の側面は、それぞれ縦壁部２１ｂの左右の側縁と当接または近接する位置に配置される。これにより、支柱本体２２は、ビス２６による締結がなされる前の状態においても、固定金具２１に対し一定の位置に位置決めされるようになっている。
【００３７】
カバー部材２３は、上記固定金具２１と同様に金属板を折り曲げて形成した側面視コ字状の部材であり、架設フレーム材３の下面に沿う矩形板状の当接固定部２３ａと、当該当接固定部２３ａの左辺部および右辺部の前方および後方から下方に延びる二対の側壁部２３ｂとを一体に有している。カバー部材２３は、その二対の側壁部２３ｂを支柱本体２２の上端の開口部内に収容した状態で当接固定部２３ａを支柱本体２２の上面に当接するように配置され、この状態で支柱本体２２の上端開口を覆うように支柱本体２２に固定されている。
【００３８】
上記二対の側壁部２３ｂの外面間距離は、支柱本体２２の内面間距離とほぼ同一に設定されている。このため、上記のようにカバー部材２３を支柱本体２２の上端開口部に挿入した状態において、二対の側壁部２３ｂの外側面は支柱本体２２の内側面と当接または近接する位置に配置される。支柱本体２２の側面および二対の側壁部２３ｂには、それぞれビス２７を挿通するための挿通孔Ｔが形成されている（図１０参照）。そして、各挿通孔Ｔを通じてビス２７が支柱本体２２の外側から側壁部２３ｂに螺着されることにより、側壁部２３ｂの外側面が支柱本体２２の側面に固定されている。
【００３９】
当接固定部２３ａの前後方向の長さは、支柱本体２２の外周間距離とほぼ同一に設定されている。このため、上記のようにカバー部材２３を支柱本体２２の上端開口部に挿入することで、当接固定部２３ａの前後方向の端部が支柱本体２２の前後方向の外周上面に当接する。したがって、カバー部材２３は、ビス２７による締結がなされる前の状態においても支柱本体２２に対し一定の位置に位置決めされるようになっている。
【００４０】
支柱カバー部材２４は、支柱本体２２よりもひと回り大きい上下方向に延びる断面矩形状の木質樹脂製のパイプ材により構成されている。すなわち、支柱カバー部材２４は、全体として支柱本体２２と相似でかつひと回り大きいほぼ正方形の中空断面を有するように形成されている。支柱カバー部材２４の外周４面は、支柱２の外表面を構成する面であり、外部から視認されるため、支柱カバー部材２４の外側面は、デッキ構造における支柱２以外の部品の外観（例えばデッキフロア１３の外表面）と統一感をもたせるようにデザインされた面とされ、例えば天然木を模した外観を有するように形成されている。
【００４１】
支柱カバー部材２４は、その内部に支柱本体２２を同軸に収容した状態でデッキフロア１３の上面に配置される。すなわち、支柱カバー部材２４は、支柱本体２２の側面を外側から覆うように配置される。支柱カバー部材２４の上下方向の長さは支柱本体２２の上下方向の長さとほぼ同一としているので、支柱本体２２は、その下端部を含む大部分が外部から視認されないように支柱カバー部材２４によって覆い隠される。
【００４２】
図７および図８に示すように、支柱カバー部材２４の側面は、それぞれ支柱本体２２の側面から離間するように配置されている。そして、このような位置関係に基づき形成される支柱本体２２の外側面と支柱カバー部材２４の内側面との間の隙間に、それぞれ合成樹脂製の板状体からなる樹脂プレート５１が配置されている。樹脂プレート５１は、支柱本体２２の下側に位置する左右の側面と、支柱本体２２の上側に位置する前後の側面とにそれぞれ接着等により取り付けられている。
【００４３】
そして、この状態で支柱カバー部材２４が支柱本体２２に外挿されることにより、樹脂プレート５１が支柱本体２２の外側面と支柱カバー部材２４の内側面との間に配置され、支柱本体２２と支柱カバー部材２４との間隔を前後左右で均等に維持するスペーサとして機能し、支柱本体２２に対する支柱カバー部材２４の左右方向位置を安定化させる役割を果たす。支柱カバー部材２４は、樹脂プレート５１が取り付けられる箇所に外側から締結されるビスにより支柱本体２２に固定されている。
【００４４】
（２）施工方法
以上のようなフェンス構造１を施工する方法について、図１２〜図１３を用いて説明する。図１２および図１３は、上記フェンス構造１を作製する手順を説明するための図面である。この説明の前提として、図１０に示す手順で取り付けられた支柱２がデッキフロア１３の上面に固定されているものとする。
【００４５】
上記の状態から始める作業としては、まず、図１２（ｂ）に示すように、上側フレーム横材４と下側フレーム横材５とフレーム縦材６とを締結したものを準備する。なお、図１２（ａ）〜（ｃ）では、固定具３２の取付位置を見えやすくするため上下を反対にしている。図１２（ａ）〜（ｃ）に示す手順で上側フレーム横材４の下面および下側フレーム横材５の上面にそれぞれ第２固定金具３３の上側横材固定部３３ｂを固定する。図１に示すフェンス構造１を組み立てる場合を例として具体的に説明すると、上側フレーム横材４の下面に対して、１１個の第２固定金具３３が互いにほぼ等間隔となるように第２固定金具３３を固定する。このとき、各第２固定金具３３の縦材固定部３３ａが上側フレーム横材４の下面から下側に延びるように、上側横材固定部３３ｂの挿通孔３３ｄから上側フレーム横材４の下面にビスを螺着することにより、上側フレーム横材４の下面に１１個の第２固定金具３３を固定する。同様に、下側フレーム横材５の上面に対して、１１個の第２固定金具３３の縦材固定部３３ａが下側フレーム横材５の上面から上側に延びるように上側横材固定部３３ｂの挿通孔３３ｄから下側フレーム横材５の下面にビスを螺着することにより、下側フレーム横材５の上面に第２固定金具３３を固定する。
【００４６】
次に、図１２（ｂ）に示すように、フレーム縦材６の上端の開口部内に第２固定金具３３を収容した状態で、上側フレーム横材４の下面にフレーム縦材６の上端部を固定する。具体的には、上側フレーム横材４の下面に取り付けた第２固定金具３３の縦材固定部３３ａをフレーム縦材６の上端の内側面に当接させた状態で、フレーム縦材６の側面から縦材固定部３３ａの挿通孔３３ｃにビスを螺着することにより、上側フレーム横材４の下面にフレーム縦材６を固定する。同様に、フレーム縦材６の下端の開口部内に第２固定金具３３を収容した状態で、下側フレーム横材５の上面にフレーム縦材６の下端部を固定する。このようにしてフレーム縦材６の上端部および下端部にそれぞれ上側フレーム横材４および下側フレーム横材５を固定する。
【００４７】
そして、図１２（ｃ）に示すように下側フレーム横材５の下面（ただし図１２（ｃ）においては上下反転させているので上面であるかのように見える）の左右の端部に固定具３２を固定する。具体的には、下側支柱固定部３２ａが下側フレーム横材５の端面と面一となるように固定具３２を位置合わせした上で、下側横材固定部３２ｂの挿通長孔３２ｄから下側フレーム横材５の下面の端部にビスを螺着することにより、下側フレーム横材５の端部に固定具３２を固定する。
【００４８】
次いで、図１３（ａ）に示すように、支柱２の上端近傍の側面に第１固定金具３１を固定する。具体的には、第１固定金具３１の横材固定部３１ｂが下側となるように、支柱固定部３１ａの挿通孔３１ｃから支柱２の上端近傍の側面に対してビスを螺着することにより、第１固定金具３１を支柱２の側面に固定する。
【００４９】
そして、上記図１２で作製した一体化物の上下方向を反対にして、上側フレーム横材４の下面の端部を第１固定金具３１の横材固定部３１ｂの上面に載置し、この図１３（ｂ）に示す状態で、横材固定部３１ｂの挿通孔３１ｄから上側フレーム横材４の下面にビスを螺着することにより、図１２（ｃ）で作製した一体化物を支柱２に固定する。この固定後の状態において、下側フレーム横材５の下面に固定された固定具３２の下側支柱固定部３２ａが支柱２に当接する位置に配置されているので、下側支柱固定部３２ａの挿通孔３２ｃから支柱２の側面に対してビスを螺着することにより支柱２と下側フレーム横材５とを固定する。なお、図１２で作製した一体化物を支柱２に固定したときに、固定具３２の下側支柱固定部３２ａが支柱２に当接していない場合は、固定具３２の左右方向の位置を微調整する。
【００５０】
そして、図１３（ｃ）に示すように、隣接する支柱２間を掛け渡すように架設フレーム材３を載置し、架設フレーム材３の上面から支柱２の上面のカバー部材２３を貫くようにビス３０を螺着することにより架設フレーム材３を支柱２の上面に固定する。最後に、上側フレーム横材４の下面側からビス４０を螺着することにより上側フレーム横材４と架設フレーム材３とを締結する。このようにして上側フレーム横材４の上面に架設フレーム材３が固定される。以上のようにして図１に示すフェンス構造１が作製される。
【００５１】
（３）作用効果等
以上説明したように、上記実施形態では、デッキフロア１３の上面に設けられるデッキ用フェンス構造１において、次のような特徴的な構成を採用した。
【００５２】
すなわち、上記実施形態では、上下方向に延びるように設けられ、下端部がデッキ構造１０のデッキフロア１３に固定された複数本の支柱２と、複数本の支柱２同士を架け渡すように支柱２の上端部に取り付けられた架設フレーム材３と、架設フレーム材３の下面に沿って延びるとともに当該下面に固定され、隣接する支柱２の側面に左右端部がそれぞれ固定された上側フレーム横材４とを備えている。すなわち、支柱２の上端部に取り付けられた架設フレーム材３の下面に沿って当該下面に上側フレーム横材４が固定されているので、架設フレーム材３の上面から下向きに外力が加わったとしても、その外力を架設フレーム材３と上側フレーム横材４との２本で受けることができる。また、上側フレーム横材４の左右端部がそれぞれ支柱２の側面に固定されているので、仮に架設フレーム材３の側面に対し架設フレーム材３の前後方向に外力が加わったとしても、その前後方向の外力を、架設フレーム材３の下部に固定された上側フレーム横材４を通じて支柱２に逃がすことができる。これらの効果が相俟って、架設フレーム材３に対して上側から外力が加わっても、架設フレーム材３に対して前後方向に外力が加わっても、その外力で架設フレーム材３が変形することを防止することができ、フェンス構造１の上部の強度を高めることができる。このため、支柱間距離が長くなるように各支柱２を配置したとしても、フェンス構造１における上部の強度を十分に確保することが可能となる。なお、本実施形態のフェンス構造は、上側フレーム横材４の下側に位置し、隣接する支柱２の側面に左右端部がそれぞれ固定された下側フレーム横材５と、上下方向に延びるように設けられ、上端部が上側フレーム横材４に固定されかつ下端部が下側フレーム横材５に固定されるフレーム縦材６とがさらに設けられている。
【００５３】
上記実施形態では、支柱２は、中空パイプ状の支柱本体２２と、当該支柱本体２２の上端開口を覆うように取り付けられるカバー部材２３とを有し、支柱２と架設フレーム材３とは、カバー部材２３と当該カバー部材２３上に載置された架設フレーム材３とを上下方向に貫通するビス３０（第１締結部材）により互いに結合されている。このように中空パイプ状の支柱本体２２の上端にカバー部材２３が取り付けられていることで、支柱２の上端に位置するカバー部材２３と架設フレーム材３の下面とを面接触させることができる。そして、この面接触した部分、すなわち架設フレーム材３とカバー部材２３との接触面を上下方向に貫通するビス３０（第１締結部材）で互いに結合することにより、支柱２と架設フレーム材３とを締結することができる。これにより架設フレーム材３に対してその前後方向に外力が加わっても、その外力を支柱２に逃がすことができ、架設フレーム材３が変形することを防止することができる。
【００５４】
上記実施形態では、支柱本体２２が金属製のもので構成されているので支柱２の強度を高めることができる。しかも、支柱２は、支柱本体２２よりも一回り大きい中空パイプ状に形成されて当該支柱本体２２の外周を取り囲む支柱カバー部材２４をさらに有し、支柱カバー部材２４、架設フレーム材３、および上側フレーム横材４は、木材を模した材料で構成されているので、フェンス構造１全体が木質材料で構成されているかのような一体感を出すことができ、フェンス構造１の意匠性を向上させることができる。
【００５５】
上記実施形態では、架設フレーム材３と上側フレーム横材４とは、上側フレーム横材４を上下方向に貫通するビス４０（第２締結部材）により互いに結合されているので、架設フレーム材３と上側フレーム横材４との接合強度を高めることができ、フェンス構造１の上部の強度をより高めることができる。しかも、上側フレーム横材４を上下方向に貫通するようにビス４０（第２締結部材）が取り付けられていることで、ビス４０が外部から視認されにくくなり、フェンス構造１の意匠性を向上させることができる。
【００５６】
上記実施形態のフェンス構造１は、支柱２の側面に上側フレーム横材４を固定するための第１固定金具３１（第１固定具）をさらに備えており、第１固定金具３１は、支柱２の側面に固定される支柱固定部３１ａと、当該支柱固定部３１ａの下端から横方向に延び、上側フレーム横材４の下面が固定される横材固定部３１ｂとを有しているので、支柱２の側面に対して支柱固定部３１ａを当接させた状態で、支柱固定部３１ａを支柱２の側面に固定することによって支柱２と第１固定金具３１とを締結させることができる。このように支柱固定部３１ａを支柱２の側面に取り付けた状態では、支柱２の側面から横材固定部３１ｂが立設しているので、この横材固定部３１ｂの上面に上側フレーム横材４を上側から載置することで支柱２の側面に対して上側フレーム横材４を容易に固定することができる。しかも、上側フレーム横材４の下面を受けるように第１固定金具３１が固定されているので、上側フレーム横材４に対して下向きに外力が加わった時に、その外力を第１固定金具３１から支柱２に逃がすことができる。また支柱２の側面と上側フレーム横材４の下面との両方に沿うように第１固定金具３１が取り付けられているので、支柱２と上側フレーム横材４との取付強度を高めることができるし、フェンス構造１の上部の強度をさらに高めることが可能となる。
【００５７】
上記実施形態では、上側フレーム横材４の下面にフレーム縦材６を固定するための第２固定金具３３（第２固定具）をさらに備え、フレーム縦材６は、中空パイプ状に形成されており、第２固定金具３３は、フレーム縦材６の内側面に固定される縦材固定部３３ａと、縦材固定部３３ａの上端から横方向に延び、前記上側フレーム横材４の下面が固定される上側横材固定部３３ｂとを有しているので、上側フレーム横材４の下面に上側横材固定部３３ｂを当接させた状態で、上側横材固定部３３ｂを上側フレーム横材４の下面に固定する。このように上側フレーム横材４に対して第２固定金具３３を固定した状態では、縦材固定部３３ａが上側フレーム横材４の下面から下向きに突き出しているので、この縦材固定部３３ａに対して中空パイプ状のフレーム縦材６の内側面を固定することにより上側フレーム横材４の下面に対してフレーム縦材６を固定することができる。このように第２固定金具３３を介して上側フレーム横材４とフレーム縦材６とを固定することにより、上側フレーム横材４に対してフレーム縦材６を簡便に取り付けることができるし、上側フレーム横材４とフレーム縦材６との取り付け強度を高めることができる。しかも、第２固定金具３３をフレーム縦材６の内側面に固定することに伴い、第２固定金具３３がフレーム縦材６の内側に隠れて外側から見えなくなるので、フェンス構造１の意匠性を向上させることができる。
【００５８】
（変形例）
上記実施形態においては、支柱２が金属製の中空パイプ状の支柱本体２２の上面にカバー部材２３を取り付けた上で、このカバー部材２３と架設フレーム材３とをビス３０によって締結する場合を説明したが、支柱本体２２の上面が鉄板によって閉じられた金属製の中空パイプ状の支柱本体を用いてもよいし、支柱２として中実角材を用いてもよい。支柱２に中実角材を用いる場合には、支柱２の上面にビス３０を打ち込むためのビス孔を予め設けておくことが好ましい。
【００５９】
上記実施形態においては、カバー部材２３と架設フレーム材３とをビス３０で貫通させることによって支柱２の上面に架設フレーム材３を固定する場合を説明したが、これらの部材の固定はビス３０を螺着する手法のみに限られず、例えば支柱２のカバー部材２３と架設フレーム材３の下面とを溶着させることによって固定してもよいし、支柱２の側面と架設フレーム材３の側面とを跨ぐようにコの字型の留め金を打ち付けることによって固定してもよい。架設フレーム材３と上側フレーム横材４との接合においても同様にビス４０を螺着する手法のみに限られず、例えば架設フレーム材３の下面と上側フレーム横材４の上面とを溶着させることによって固定してもよいし、架設フレーム材３の側面と上側フレーム横材４の側面とを跨るようにコの字型の留め金を打ち付けることによって固定してもよい。
【００６０】
上記実施形態においては、支柱本体２２の外周面に支柱カバー部材２４を取り付ける場合を説明したが、支柱カバー部材２４を省略してもよい。この場合には、支柱本体２２の側面に取り付けられる樹脂プレート５１も省略することができる。
【００６１】
上記実施形態においては、支柱２の側面に上側フレーム横材４を取り付ける際に、支柱２の側面に第１固定金具３１を取り付けた上で、この第１固定金具３１を介して支柱２の側面に上側フレーム横材４の端部を取り付ける場合を説明したが、例えば支柱２の側面に上側フレーム横材４の端部を挿入できる挿入口を予め設けておき、当該挿入口に上側フレーム横材４の端部を挿入することによって支柱２と上側フレーム横材４とを取り付けることもできる。
【００６２】
上記実施形態においては、上側フレーム横材４の下面に対してフレーム縦材６を取り付ける場合においても上記と同様のことが言え、上側フレーム横材４の下面にフレーム縦材６の上端部を挿入できる挿入口を予め設けておき、当該挿入口にフレーム縦材６の上端部を挿入することによって上側フレーム横材４とフレーム縦材６とを取り付けてもよい。同様に、下側フレーム横材５の上面に対してフレーム縦材６の下端部を挿入できる挿入口を予め設けておき、当該挿入口にフレーム縦材６の下端部を挿入することによって下側フレーム横材５とフレーム縦材６とを取り付けてもよい。
【００６３】
上記実施形態においては、図１３（ａ）に示すように、第１固定金具３１の横材固定部３１ｂが下側となるように第１固定金具３１を支柱２の側面に固定する場合を説明したが、図１４に示すように第１固定金具３１の横材固定部３１ｂが上側となるように支柱固定部３１ａを支柱２の側面に固定してもよい。
【００６４】
上記実施形態においては、１１本のフレーム縦材６が上下方向に延び、かつフレーム縦材６の上端部が上側フレーム横材４に固定されるとともにフレーム縦材６の下端部が下側フレーム横材５に固定される場合を説明したが、フレーム縦材６の本数や太さは図１に示すもののみに限られず、例えばフレーム縦材６の本数を増やしてもよいし、フレーム縦材６の本数を減らしてもよい。また、フレーム縦材６に対して垂直に延びる１本または複数本のフレーム横材をフレーム縦材６に取り付けてもよい。これにより複数のフレーム縦材６と複数のフレーム横材とが組み合わされて井桁の格子状とされることになり、フレーム縦材６の強度を高めることができる。逆に、下側フレーム横材５およびフレーム縦材６を省略することもできる。
【００６５】
上記変形例では、上側フレーム横材４および下側フレーム横材５に対して垂直にフレーム縦材６を取り付ける場合を説明したが、上側フレーム横材４と下側フレーム横材５との間において、上側フレーム横材４の下面に対して斜めに延びるフレーム材を取り付けてもよい。この場合、強度を高めるという観点から、左斜めに延びる左斜めフレーム材と右斜めに延びる右斜めフレーム材とを井桁格子状に組み合わせることが好ましい。
【００６６】
上記実施形態においては、フェンス構造１を構成する各部の外周面が木質樹脂によって構成される場合を説明したが、実際の木材によって構成されていてもよいし、金属鋼材で構成されていてもよい。
【符号の説明】
【００６７】
１  フェンス構造
２  支柱
３  架設フレーム材
４  上側フレーム横材
５  下側フレーム横材
６  フレーム縦材
１０  デッキ構造
１３  デッキフロア
２１  固定金具
２２  支柱本体
２３  カバー部材
２３ａ  当接固定部
２３ｂ  側壁部
２４  支柱カバー部材
３０  ビス（第１締結部材の一例）
３１  第１固定金具（第１固定具の一例）
３１ａ  支柱固定部
３１ｂ  横材固定部
３３  第２固定金具（第２固定具の一例）
３３ａ  縦材固定部
３３ｂ  上側横材固定部
４０  ビス（第２締結部材の一例）
５１  樹脂プレート
【図１】
2018119267.tif 000003
【図２】
2018119267.tif 000004
【図３】
2018119267.tif 000005
【図４】
2018119267.tif 000006
【図５】
2018119267.tif 000007
【図６】
2018119267.tif 000008
【図７】
2018119267.tif 000009
【図８】
2018119267.tif 000010
【図９】
2018119267.tif 000011
【図１０】
2018119267.tif 000012
【図１１】
2018119267.tif 000013
【図１２】
2018119267.tif 000014
【図１３】
2018119267.tif 000015
【図１４】
2018119267.tif 000016
【図１５】
2018119267.tif 000017